(57)【要約】【課題】この考案が解決しようとする課題は、フレーム内に収納した宝石類をフレームから突出した揺動部分との関連において揺動するようにした装身具用下げ飾りを提供しようと点にある。【解決手段】内側に中空部を形成した所定の厚みの有るフレーム部材と、フレーム部材の適所に上記厚み方向に取り付けた回転軸と、この回転軸に支持されてフレーム部材から突出し、かつスイングするよう回動自在に保持された装飾部を有する揺動部材を備え、さらにこの揺動部材を上記フレーム部材の中空部に延長して、中空部で回動する装飾部を上記延長部に設けたことを特徴とする装身具用下げ飾り。【選択図】図１
0003116604.tif 000002
【実用新案登録請求の範囲】
【請求項１】
内側に中空部を形成した所定の厚みの有るフレーム部材と、フレーム部材の適所に上記厚み方向に取り付けた回転軸と、この回転軸に支持されてフレーム部材から突出し、かつスイングするよう回動自在に保持された装飾部を有する揺動部材を備え、さらにこの揺動部材を上記フレーム部材の中空部に延長して、中空部で回動する装飾部を上記延長部に設けたことを特徴とする装身具用下げ飾り。
【請求項２】
フレーム部材から突出し、かつスイングするよう回動自在に保持された揺動部材と、上記フレーム部材の中空部に延長した揺動部材の延長部とにそれぞれ設けた装飾部が、所定の石止め手段で取り付けられた宝石もしくは貴石であることを特徴とする請求項１に記載の装身具用下げ飾り。
【考案の詳細な説明】
【技術分野】
【０００１】
この考案は、より装飾性を高めた装身具用下げ飾りに関するものである。
【背景技術】
【０００２】
従来のネックレスやペンダント、イヤリング、ブローチ等の装身具に使用される装身具用下げ飾りにおいては、揺動部分を備えたいわゆるスイング式の装身具用下げ飾りが知られている。
上記スイング式の装身具用下げ飾りとしては、実開昭６１−７７８１４号公報（特許文献１参照）や実開平３−１６４１２号公報（特許文献２参照）、登録実用新案第３０６６４０５号公報（特許文献３参照）等が挙げられ、一般的には装身具本体に吊り下げられて首振り可能な構造とされている。
【０００３】
ところで、装身具を構成するフレーム内に収納した宝石類を回動することができるようにした装身具が特開昭５９−３２４０５号公報（特許文献４参照）等において提案されている。しかしながら、このようなフレーム内に収納した宝石類を回動することができるようにした装身具は種々提案されているが、フレームから突出した揺動部分との関連において揺動するものは今まで存在しなかった。
【０００４】
なお、実開平３−１６４１２号公報（特許文献２参照）において、振り子（揺動部分）に関連してフレーム内のがんぎ車を振り子に取り付けた爪で回動させるようになっているブローチが示されている。とはいえこのブローチにおけるフレーム内のがんぎ車は装飾性を持ったものではなく、フレーム内に収納した宝石類をフレームから突出した揺動部分との関連において揺動するものではなかった。
【特許文献１】実開昭６１−７７８１４号公報
【特許文献２】実開平３−１６４１２号公報
【特許文献３】登録実用新案第３０６６４０５号公報
【特許文献４】特開昭５９−３２４０５号公報
【考案の開示】
【考案が解決しようとする課題】
【０００５】
この考案が解決しようとする課題は、フレーム内に収納した宝石類をフレームから突出した揺動部分との関連において揺動するようにした装身具用下げ飾りを提供しようと点にある。
【課題を解決するための手段】
【０００６】
すなわちこの考案の装身具用下げ飾りは、内側に中空部を形成した所定の厚みの有るフレーム部材と、フレーム部材の適所に上記厚み方向に取り付けた回転軸と、この回転軸に支持されてフレーム部材から突出し、かつスイングするよう回動自在に保持された装飾部を有する揺動部材を備え、さらにこの揺動部材を上記フレーム部材の中空部に延長して、中空部で回動する装飾部を上記延長部に設けたことを特徴とするものである。
【０００７】
この考案の装身具用下げ飾りは、上記フレーム部材から突出し、かつスイングするよう回動自在に保持された揺動部材と、上記フレーム部材の中空部に延長した揺動部材の延長部とにそれぞれ設けた装飾部が、所定の石止め手段で取り付けられた宝石もしくは貴石であることをも特徴とするものである。
【考案の効果】
【０００８】
この考案の装身具用下げ飾りは、フレーム内に収納した装飾部をフレームから突出した揺動部分との関連において揺動するようにしたことにより、フレームから突出した揺動部分の装飾部とフレーム内に収納した装飾部とが関連して揺動するので、その装飾性を効率よく高めることができるようになった。
【考案を実施するための最良の形態】
【０００９】
以下、この考案の装身具用下げ飾りの実施の形態について、図面に基いて詳細に説明する。
図１はこの考案の装身具用下げ飾りの１実施例を示す分解状態の斜視図、図２は組み付けた状態の斜視図、図３は側面図である。
【００１０】
図１ないし図３において、１１は貴金属製のフレーム部材で、図のような所定のデザインを施されているが、少なくともその内側には中空部１２を形成しておくことが必要である。上記フレーム部材１１は一対の貴金属板１３を所定の間隔で連結することにより、所定の厚みの有るものとすることが望ましい。１４は一対の貴金属板１３間に設けた連結部である。
【００１１】
上記フレーム部材１１の適所には、上記厚み方向に回転軸１５が取り付けてあり、この回転軸１５に支持された揺動部材１６は上記フレーム部材１１から突出し、かつスイングするよう上記フレーム部材１１に回動自在に保持されている。１７は揺動部材１６の先端に取り付けた宝石類からなる装飾部で、爪止め、彫り止め、伏せ込みや１点止め等の手段で揺動部材１６に固着されている。
【００１２】
さらに上記揺動部材１６は回転軸１５の反対側において、上記フレーム部材１１の中空部１２内に延長されており、この延長部１８は上記中空部１２内において回動するよう構成されている。１９は上記延長部１８に設けた宝石類からなる装飾部で、上記揺動部材１６の先端の装飾部１７の例と同様に、爪止め、彫り止め、伏せ込みや１点止め等の手段で延長部１８に固着されている。
【００１３】
図において上記回転軸１５は揺動部材１６と一体的に形成されており、フレーム部材１１に設けた軸受（図は省略）に回転軸１５をはめ込んで首振り可能な状態にしているが、回転軸１５をフレーム部材１１と一体化し、別途作製した揺動部材１６を回転軸１５に取り付けるようにすることもできる。その場合には揺動部材１６に設けた軸受を介して、揺動部材１６を回転軸１５にはめ込むようにすればよい。
【００１４】
上記揺動部材１６と延長部１８との関係について述べると、揺動部材１６は延長部１８よりも大きい重量であることが望ましい。そうすれば首振りが無理なく行なえるようになり、見ていても違和感を感じることがない。
他方、揺動部材１６より延長部１８を大きい重量とした場合には、延長部１８はフレーム部材１１の中空部１２内において片方に傾いた状態となってしまう。もちろん、回転軸１５に付設した線状のバネ材（図示せず）、あるいは上記中空部１２内壁に設置したバネ材（図示せず）等で装身具の動きに応じて首振り動作するようにしてもよい。
【００１５】
上記フレーム部材１１は、一対の貴金属板１３を連結部１４で所定の間隔で連結しているが、この連結部１４は回転軸１５を中心として少なくとも片側、望ましくはその両側に揺動部材１６の作動を許容する間隙を設けておくことが必要である。したがって揺動部材１６は、回転軸１５を中心として貴金属板１３の板面に沿って上記間隙内を首振り可能となる。
【００１６】
このような構造を採用したので、揺動部材１６は、回転軸１５を中心として貴金属板１３の板面に沿って上記間隙内を首振りするとともに、それと同期するように、上記延長部１８はフレーム部材１１の中空部１２内において、上記揺動部材１６に対応する動作を行なう。
【００１７】
この考案の装身具用下げ飾りは、上記フレーム部材１１を構成する連結部１４間にチェーンや紐類を挿通することにより、チェーンや紐類を用いて適宜用途に使用することが望ましい。もちろんバチカンをフレーム部材１１に設け、そのバチカンを用いて装身具用下げ飾りを金具類に吊下げるようにしてもよい。
【産業上の利用可能性】
【００１８】
この考案の装身具用下げ飾りは、ネックレスやペンダント、イヤリング、ブローチ等の装身具に使用される装身具用下げ飾りとしてのみならず、その他のアクセサリーや装飾性の不可欠な用途にも適用できる。
【図面の簡単な説明】
【００１９】
【図１】この考案の装身具用下げ飾りの１実施例を示す分解状態の斜視図である。
【図２】組み付けた状態の斜視図である。
【図３】その側面図である。
【符号の説明】
【００２０】
１１  フレーム部材
１２  中空部
１３  貴金属板
１４  連結部
１５  回転軸
１６  揺動部材
１７  装飾部
１８  延長部
１９  装飾部
【図１】
0003116604.tif 000003
【図２】
0003116604.tif 000004
【図３】
0003116604.tif 000005